(57)【特許請求の範囲】
【請求項１】
絶縁ハウジングと、前記絶縁ハウジングの内部に配置された複数のコンタクトと、前記絶縁ハウジングの内部に挿入された前記信号伝送媒体を所定の係止力で保持するロック部材と、を備え、
前記絶縁ハウジングの内部に前記信号伝送媒体が挿入された際に、前記コンタクトが前記信号伝送媒体に対して電気的な接続状態に接触するように構成された電気コネクタにおいて、
前記絶縁ハウジングは、固定ハウジング部と、その固定ハウジング部に対して相対移動可能に取り付けられた可動ハウジング部とを有し、
前記可動ハウジング部が、前記コンタクトに当接する作用位置と、前記コンタクトから離間する非作用位置との間で往復移動するように配置されているとともに、
当該可動ハウジング部には、その可動ハウジング部と前記信号伝送媒体とを所定の係止力で連結・保持するように前記ロック部材が設けられている一方、
前記固定ハウジング部には、前記可動ハウジングを前記非作用位置に向かって付勢する弾性付勢手段が設けられたものであって、
前記信号伝送媒体に抜去力が付与されることにより、前記ロック部材を介して前記可動ハウジング部が前記信号伝送媒体とともに前記非作用位置から前記作用位置まで移動した際に、当該可動ハウジング部が前記コンタクトに当接して押圧し、前記信号伝送媒体を前記コンタクトが挟持して前記信号伝送媒体が抜去されない状態に保持するように構成されていることを特徴とする電気コネクタ。
【請求項２】
前記ロック部材には、前記信号伝送媒体に対する係止状態を解除するロック解除機構が付設されていることを特徴とする請求項１記載の電気コネクタ。
【請求項３】
前記ロック部材は、前記弾性付勢手段の付勢力Ｈ２よりも前記信号伝送媒体に対する係止力Ｈ１が大きくなるように構成され（Ｈ１＞Ｈ２）、
前記信号伝送媒体が抜去される際に、前記ロック部材を介して当該信号伝送媒体と前記可動ハウジング部とが、前記作用位置まで連結・保持された状態で一体に移動されるように構成されていることを特徴とする請求項１記載の電気コネクタ。
【請求項４】
請求項１記載の電気コネクタに前記信号伝送媒体を保持し、又は請求項１記載の電気コネクタから前記信号伝送媒体を抜去する方法であって、
前記電気コネクタに前記信号伝送媒体を接続状態に保持させるにあたって、前記信号伝送媒体に前記ロック部材を介して前記可動ハウジング部を連結状態とし、前記信号伝送媒体とともに前記可動ハウジング部を作用位置まで移動させて当該可動ハウジング部を前記コンタクトに当接させ、その可動ハウジング部の押圧力により前記コンタクトを弾性変位させて前記信号伝送媒体を挟持する一方、
前記電気コネクタから前記信号伝送媒体を抜去させるにあたっては、前記可動ハウジング部を前記非作用位置に移動させた状態に保持しながら当該信号伝送媒体を電気コネクタから抜去するようにしたことを特徴とする信号伝送媒体の保持・抜去方法。
【請求項５】
前記ロック部材を、前記信号伝送媒体に対する係止状態から解除した後に、前記信号伝送媒体を電気コネクタから抜去するようにしたことを特徴とする請求項４記載の信号伝送媒体の保持・抜去方法。
【請求項６】
前記ロック部材の係止力より大きな抜去力を前記信号伝送媒体に付与することにより当該信号伝送媒体を電気コネクタから抜去するようにしたことを特徴とする請求項４記載の信号伝送媒体の保持・抜去方法。
【発明の詳細な説明】
【技術分野】
【０００１】
本発明は、絶縁ハウジングの内部に挿入された信号伝送媒体が、複数のコンタクトの弾性的変位により挟持されるように構成された電気コネクタ、及び信号伝送媒体の保持・抜去方法に関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するための手段として種々の電気コネクタが広く用いられている。例えば、下記の特許文献１のように印刷配線基板上に実装されて使用される電気コネクタでは、ＦＰＣやＦＦＣ等からなる信号伝送媒体が、絶縁ハウジング（インシュレータ）の前端側開口部から内部に挿入され、その後にアクチュエータ（接続操作手段）が、作業者の操作力でコネクタ前方側又は後方側の接続作用位置に向かって押し倒されるように回動される。これによって、信号伝送媒体の端末部分に設けられた係合部にロック部材の一部が落ち込んで係合状態になされ、信号伝送媒体の端末部分がロック部材により略不動状態に保持される構成になされている。
【０００３】
このように、アクチュエータを備えた電気コネクタは、接続解除位置と接続作用位置との間でアクチュエータを回動操作することによってロック部材の係合・離脱を操作する構成になされているが、信号伝送媒体（ＦＰＣ，ＦＦＣ等）の挿入作業とは別個にアクチュエータを操作する必要があるために作業効率が問題となる場合がある。そのため、従来から、絶縁ハウジングの内部に挿入された信号伝送媒体に対してロック部材の一部が乗り上げるようにして弾性変位し、その後に信号伝送媒体の係合部にロック部材の一部が落ち込んで係合が行われるように構成された、いわゆるワンアクションオートロック機構を備えた電気コネクタが採用されることがある。このようなワンアクションオートロック機構を備えた電気コネクタを用いれば、電気コネクタの内部の所定位置まで信号伝送媒体を挿入するだけで、信号伝送媒体が略不動状態に保持されることとなり、作業効率の向上が図られる。
【０００４】
しかしながら、従来の電気コネクタに採用されているワンアクションオートロック機構では、上述したように信号伝送媒体（ＦＰＣ，ＦＦＣ等）を電気コネクタに挿入するだけでロックが行われて保持される利点があるものの、絶縁ハウジング内に挿入された信号伝送媒体の保持がロック部材でのみ行われるために、十分な保持力及び電気的接続性が得られないおそれがある。また、信号伝送媒体を絶縁ハウジングから抜去するために、ロック部材を信号伝送媒体から解放するロックレバー等の比較的複雑な構造を有するロック解除機構が設けられていることから、全体の構成が複雑化する傾向があるとともに、ロック解除操作に手間がかかり、信号伝送媒体の抜去作業が効率的に行われない場合がある。
【先行技術文献】
【特許文献】
【０００５】
【特許文献１】特開２００９−２３１０６９号公報
【特許文献２】特開２０１１−１０８５００号公報
【特許文献３】特開２０１１−１０８５０１号公報
【発明の開示】
【発明が解決しようとする課題】
【０００６】
そこで本発明は、簡易な構成で、ＦＰＣ，ＦＦＣ等からなる信号伝送媒体の挿入状態を確実に保持して良好な電気的接続性を得るとともに、信号伝送媒体の抜去作業を効率的に行うことができるようにした電気コネクタ、及び信号伝送媒体の保持・抜去方法を提供することを目的とする。
【課題を解決するための手段】
【０００７】
上記目的を達成するため本発明にかかる電気コネクタでは、絶縁ハウジングと、前記絶縁ハウジングの内部に配置された複数のコンタクトと、前記絶縁ハウジングの内部に挿入された前記信号伝送媒体を所定の係止力で保持するロック部材と、を備え、前記絶縁ハウジングの内部に前記信号伝送媒体が挿入された際に、前記コンタクトが前記信号伝送媒体に対して電気的な接続状態に接触するように構成された電気コネクタにおいて、前記絶縁ハウジングは、固定ハウジング部と、その固定ハウジング部に対して相対移動可能に取り付けられた可動ハウジング部とを有し、前記可動ハウジング部が、前記コンタクトに当接する作用位置と、前記コンタクトから離間する非作用位置との間で往復移動するように配置されているとともに、当該可動ハウジング部には、その可動ハウジング部と前記信号伝送媒体とを所定の係止力で連結・保持するように前記ロック部材が設けられている一方、前記固定ハウジング部には、前記可動ハウジングを前記非作用位置に向かって付勢する弾性付勢手段が設けられたものであって、前記信号伝送媒体に抜去力が付与されることにより、前記ロック部材を介して前記可動ハウジング部が前記信号伝送媒体とともに前記非作用位置から前記作用位置まで移動した際に、当該可動ハウジング部が前記コンタクトに当接して押圧し、前記信号伝送媒体を前記コンタクトが挟持して前記信号伝送媒体が抜去されない状態に保持する構成が採用されている。
【０００８】
そして、本発明にかかる信号伝送媒体の保持・抜去方法においては、前記電気コネクタに前記信号伝送媒体を接続状態に保持させるにあたって、前記信号伝送媒体に前記ロック部材を介して前記可動ハウジング部を連結状態とし、前記信号伝送媒体とともに前記可動ハウジング部を作用位置まで移動させて当該可動ハウジング部を前記コンタクトに当接させ、その可動ハウジング部の押圧力により前記コンタクトを弾性変位させて前記信号伝送媒体を挟持する一方、前記電気コネクタから前記信号伝送媒体を抜去させるにあたっては、前記可動ハウジング部を前記非作用位置に移動させた状態に保持しながら当該信号伝送媒体を電気コネクタから抜去するようにしている。
【０００９】
このような構成を有する本発明によれば、まず信号伝送媒体が挿入されていない初期状態においては、弾性付勢手段の付勢力によって可動ハウジング部がコンタクトから離間した非作用位置に位置することで、コンタクトが可動ハウジング部による作用を受けることなく初期状態（開放状態）に維持されることから、信号伝送媒体がコンタクトに邪魔されることなく絶縁ハウジングの内部に挿入可能となる。
【００１０】
そして、絶縁ハウジングの内部に信号伝送媒体が挿入された状態では、ロック部材からの所定の係止力で可動ハウジング部と信号伝送媒体とが連結状態となり、そのような連結状態で信号伝送媒体が抜去されようとすると、信号伝送媒体とともに可動ハウジング部が移動し、作用位置まで可動ハウジング部が移動して来たときに当該可動ハウジング部がコンタクトに当接し、その可動ハウジング部の押圧力によってコンタクトが信号伝送媒体を挟持する位置まで弾性変位し、当該コンタクトの挟持作用で信号伝送媒体の抜去が阻止される。
【００１１】
これに対して、同じく絶縁ハウジングの内部に信号伝送媒体が挿入された状態であっても、指や工具等で可動ハウジング部が押えられることによって非作用位置に保持されている場合には、可動ハウジング部がコンタクトに対して離間した非当接状態に維持されることから、当該可動ハウジング部でコンタクトが弾性変位されることがなくなり、コンタクトが初期状態（開放状態）のままに維持される。その結果、信号伝送媒体は、コンタクトにより挟持されることがなくなってロック部材の係止力のみで電気コネクタに連結された状態となり、ロック部材を信号伝送媒体に対する係止状態から解除するか、あるいはロック部材の係止力より大きい抜去力を信号伝送媒体に付与することで信号伝送媒体の抜去が可能となる。
【００１２】
すなわち、本発明における前記ロック部材には、前記信号伝送媒体に対する係止状態を解除するロック解除機構が付設されていることが望ましいが、本発明における前記ロック部材は、前記弾性付勢手段の付勢力Ｈ２よりも前記信号伝送媒体に対する係止力Ｈ１が大きくなるように構成され（Ｈ１＞Ｈ２）、前記信号伝送媒体が抜去される際に、前記ロック部材を介して当該信号伝送媒体と前記可動ハウジング部とが、前記作用位置まで連結・保持された状態で一体に移動されるように構成されていることも可能である。
【００１３】
このような構成を有する本発明によれば、信号伝送媒体と可動ハウジング部との連結状態が、ロック部材を介して確実に行われることとなり、信号伝送媒体が抜去されようとした際における可動ハウジング部の作用位置までの移動操作が円滑に行われる。
【発明の効果】
【００１４】
以上述べたように本発明にかかる電気コネクタ、及び信号伝送媒体の保持・抜去方法は、絶縁ハウジングに可動ハウジング部を設け、その可動ハウジング部を弾性付勢手段により付勢することでコンタクトを初期状態に維持して絶縁ハウジング内に信号伝送媒体を挿入可能とするとともに、絶縁ハウジング内に挿入した際に、信号伝送媒体を、ロック部材を介して可動ハウジング部と連結状態とし、信号伝送媒体が抜去されようとした場合には、信号伝送媒体とともに可動ハウジング部を移動させることでコンタクトを弾性変位させて信号伝送媒体を挟持し、当該コンタクトの挟持作用によって信号伝送媒体の抜去を阻止する一方、可動ハウジング部を指や工具等で非作用位置に保持して当該可動ハウジング部によるコンタクトの弾性変位をなくすことで、コンタクトを初期状態に維持して信号伝送媒体を挟持させなくすことによって、ロック部材の係止力より大きい抜去力により信号伝送媒体の抜去を可能とするように構成したものであるから、簡易な構成で、信号伝送媒体の挿入状態を確実に保持して良好な電気的接続性を得るとともに、信号伝送媒体の抜去作業を効率的に行うことができ、電気コネクタの信頼性を低廉かつ大幅に向上させることができる。
【図面の簡単な説明】
【００１５】
【図１】本発明の一実施形態にかかる電気コネクタを表した平面説明図である。
【図２】図１に表された電気コネクタの正面説明図である。
【図３】図１及び図２に表された電気コネクタの底面説明図である。
【図４】図１乃至図３に表された電気コネクタの背面説明図である。
【図５】図１乃至図４に表された電気コネクタの側面説明図である。
【図６】図１乃至図５に表された電気コネクタを正面上方側から見たときの外観斜視説明図である。
【図７】図２中のＺ−Ｚ線に沿った断面説明図である。
【図８】図２中のＹ−Ｙ線に沿った断面説明図である。
【図９】図１乃至図８に表された電気コネクタにおいて、可動ハウジング部を取り外した状態を正面上方側から見たときの外観斜視説明図である。
【図１０】図１乃至図８に表された電気コネクタにおいて、可動ハウジング部を取り外した状態を背面上方側から見たときの外観斜視説明図である。
【図１１】図９に表された電気コネクタから、固定金具を取り外した分解状態を正面上方側から表した外観斜視説明図である。
【図１２】図９に表された電気コネクタから、固定金具を取り外した分解状態を背面上方側から表した外観斜視説明図である。
【図１３】図１乃至図１２に表された電気コネクタに、信号伝送媒体を挿入する直前の状態を正面上方側から表した外観斜視説明図である。
【図１４】図１３に表された状態から信号伝送媒体の挿入を完了した状態を正面上方側から表した外観斜視説明図である。
【図１５】図１４に表された信号伝送媒体の挿入を完了した電気コネクタの正面説明図である。
【図１６】図１５中のＸ−Ｘ線に沿った断面説明図である。
【図１７】図１５中のＷ−Ｗ線に沿った断面説明図である。
【図１８】挿入された信号伝送媒体をコネクタ前方側に向かって抜去しようとした場合における可動ハウジング部のスライド状態を表した外観斜視説明図である。
【図１９】図１８の可動ハウジング部のスライド状態にある電気コネクタを示した背面説明図である。
【図２０】図１９中のＴ−Ｔ線に沿った断面説明図である。
【図２１】図１９中のＶ−Ｖ線に沿った断面説明図である。
【図２２】信号伝送媒体の挿入が完了した状態にある電気コネクタのロック部材の配置部位における横断面説明図である。
【図２３】信号伝送媒体が抜去されようとした状態にある電気コネクタのロック部材の配置部位における断面説明図である。
【図２４】図１７よりやや下方部位における断面であってロック解除機構を表した断面説明図である。
【図２５】信号伝送媒体の挿入が完了した状態にある電気コネクタのロック解除ボタンの配置部位における断面説明図である。
【発明を実施するための形態】
【００１６】
以下において、フレキシブル・プリンテッド・サーキット（ＦＰＣ）やフレキシブルフラット・ケーブル（ＦＦＣ）等からなる信号伝送媒体の接続を行うために配線基板上に実装して使用される電気コネクタに本発明を適用した実施の形態を図面に基づいて詳細に説明する。
【００１７】
［電気コネクタの全体構成について］
図１〜図２３に示されている本発明の一実施形態にかかる電気コネクタ１０は、いわゆるノン・ジフ（ＮＯＮ−ＺＩＦ）タイプのワンアクションオートロック機構を備えた電気コネクタからなるものであって、絶縁ハウジング１１の内部の所定位置まで、上述した信号伝送媒体（ＦＰＣ又はＦＦＣ等）Ｆの端末部分を挿入した際に、当該信号伝送媒体Ｆのロックが自動的に行われる構成になされている。
【００１８】
［絶縁ハウジングについて］
前記絶縁ハウジング１１は、細長平板状をなすように延在する中空状の絶縁部材から形成されているが、その絶縁ハウジング１１における長手の横幅方向を、以下において「コネクタ長手方向」と呼び、また信号伝送媒体（ＦＰＣ又はＦＦＣ等）Ｆの端末部分を挿入する方向において上手側を「コネクタ前方」、下手側を「コネクタ後方」と呼ぶこととする。
【００１９】
その絶縁ハウジング１１は、平面視において略コの字形状をなすように形成された固定ハウジング部１１Ａと、その固定ハウジング部１１Ａにおける平面略コの字形状の内側領域に取り付けられた可動ハウジング部１１Ｂとを有している。そのうちの固定ハウジング部１１Ａは、コネクタ後方側の端縁部分にコネクタ長手方向に沿って細長状に延在する固定基枠部１１Ａ１を有しているとともに、その固定基枠部１１Ａ１のコネクタ長手方向の両端部分に、コネクタ前方側に向かってアーム状に延出する一対のスライド支持部１１Ａ２，１１Ａ２が設けられている。そして、それらの両スライド支持部１１Ａ２，１１Ａ２同士の間に、可動ハウジング部１１Ｂが、コネクタ前後方向に往復移動可能となるように配置されている。
【００２０】
可動ハウジング部１１Ｂのコネクタ前方側の端縁部分（図７の左端縁部分）には、上述したフレキシブル・プリンテッド・サーキット（ＦＰＣ）やフレキシブル・フラット・ケーブル（ＦＦＣ）等からなる信号伝送媒体Ｆの端末部分が挿入される媒体挿入口１１Ｂ１が、コネクタ長手方向に沿って細長状をなすように形成されている。その媒体挿入口１１Ｂ１は、可動ハウジング部１１Ｂの内部をコネクタ後方側に延びて、信号伝送媒体Ｆが挿入される中空状通路になされている。
【００２１】
［導電コンタクトについて］
このような絶縁ハウジング１１の内部には、多極状に配置された複数の導電コンタクト１２，１３が装着されている。それらの導電コンタクト１２，１３は、コネクタ長手方向に適宜の間隔をなして交互に配置されており、互いに異なる適宜の形状をなす薄板状金属製部材により形成されている。そして、一方の導電コンタクト１２は、上述した可動ハウジング部１１Ｂの媒体挿入口１１Ｂ１から中空状通路をコネクタ後方側に向かって滑動自在に貫通した後、当該導電コンタクト１２の挿入方向先端部分に設けられた固定基部１２ａが、上述した固定ハウジング部１１Ａのコネクタ後方側に設けられた固定基枠部１１Ａ１に圧入されることによって固定されている。
【００２２】
また、他方の導電コンタクト１３は、固定ハウジング部１１Ａのコネクタ後方側の端面に形成された縦穴スリットからコネクタ前方側に向かって挿入されており、上述した可動ハウジング部１１Ｂの中空状通路内を滑動自在に延在しているとともに、当該導電コンタクト１３の挿入方向における後端部分に設けられた固定基部１３ａが、固定ハウジング部１１Ａの固定基枠部１１Ａ１に圧入されることによって固定状態になされている。
【００２３】
これらの導電コンタクト１２，１３の各々は、信号伝送用又はグランド接続用のいずれかとして、主印刷配線基板（図示省略）上に形成された導電路に対して半田接合により実装された状態で使用される。すなわち、上述したようにして絶縁ハウジング１１の内部に装着された各導電コンタクト１２，１３の配置位置は、媒体挿入口１１Ｂ１を通して絶縁ハウジング１１内に挿入される信号伝送媒体（ＦＰＣ又はＦＦＣ等）Ｆに設けられた配線パターンに対応した設定になされている。その信号伝送媒体Ｆの配線パターンは、信号伝送用導電路（信号線パッド）又はシールド用導電路（シールド線パッド）を適宜のピッチ間隔で配置したものである。
【００２４】
各導電コンタクト１２，１３の構成を具体的に説明すると、まず導電コンタクト１２は、上述したようにコネクタ後端側に固定ハウジング部１１Ａに圧入される固定基部１２ａを有しているとともに、その固定基部１２ａからコネクタ前方側に向かって、固定ビーム１２ｂ及び可動ビーム１２ｃが、上下の二股状に分割されるようにして延出している。そのうちの固定ビーム１２ｂは、上述した固定基部１２ａから可動ハウジング部１１Ｂの底板面上に延在しており、当該固定ビーム１２ｂのコネクタ前端部分が、可動ハウジング部１１Ｂからコネクタ前方側に突出する基板接続部１２ｂ１に形成されている。それらの各基板接続部１２ｂ１は、主印刷配線基板（図示省略）上に形成された導電路に半田接続される。
【００２５】
また、導電コンタクト１２の可動ビーム１２ｃは、コネクタ後端側の固定基部１２ａから固定ビーム１２ｂの上方に向かって片持ち状をなして一体的に延出するように形成されている。その可動ビーム１２ｃは、固定ビーム１２ｂから上方にやや離間した状態で、可動ハウジング部１１Ｂの図示上方側天井板の内壁面に沿ってコネクタ前方側に延出している。このようにして導電コンタクト１２の可動ビーム１２ｃは、固定基部１２ａとの連接部分又はその近傍を中心として、図７の紙面内において上下の方向に揺動する構成になされている。
【００２６】
さらに、この可動ビーム１２ｃにおけるコネクタ前方側への延出端部分（図７の左端側部分）には、信号伝送媒体（ＦＰＣ又はＦＦＣ等）Ｆに形成された信号伝送用導電路又はシールド用導電路（配線パターン）のいずれかに対応して端子接触凸部１２ｃ１が図示下向きの凸形状をなすように設けられている。すなわち、この導電コンタクト１２に設けられた端子接触凸部１２ｃ１は、上述したように信号伝送媒体Ｆが絶縁ハウジング１１の内部に挿入されて来た際に、当該信号伝送媒体Ｆの配線パターン上に乗り上げる配置関係になされており、その信号伝送媒体Ｆが所定の最終位置まで挿入されたときに、可動ビーム部１２ｃの弾性力によって両者が圧接されて電気的に接続された状態に維持されるようになっている。
【００２７】
さらにまた、この可動ビーム１２ｃにおけるコネクタ前方側の先端部分（図７の左端側部分）には、上述した端子接触凸部１２ｃ１の上方位置から上方側に向けて山形状をなして突出する押圧ガイド部１２ｃ２が設けられている。この押圧ガイド部１２ｃ２は、可動ハウジング部１１Ｂの上方天井板に形成されたスリット穴１１Ｂ２の内方に突出するように配置されている。可動ハウジング部１１Ｂのスリット穴１１Ｂ２は、媒体挿入口１１Ｂ１の開口縁部からコネクタ後方側に延出するように切欠き形成されており、そのスリット穴１１Ｂ２の奥側（コネクタ後方側）端面に対して、押圧ガイド部１２ｃ２の傾斜辺が互いに対面する配置関係になされている。
【００２８】
この可動ビーム１２ｃに設けられた押圧ガイド部１２ｃ２の傾斜辺は、例えば図７に示されているように、可動ハウジング部１１Ｂ側のスリット穴１１Ｂ２の奥側（コネクタ後方側）端面に対して、離間又は軽接触するように配置されているが、例えば図２０に示されているように、可動ハウジング部１１Ｂがコネクタ前方側に移動されてくると、当該可動ハウジング部１１Ｂに設けられたスリット穴１１Ｂ２の奥側（コネクタ後方側）端面が、可動ビーム１２ｃ側の押圧ガイド部１２ｃ２の傾斜辺に対して、コネクタ後方側から当接する構成になされている。
【００２９】
このように可動ハウジング部１１Ｂの前方側の端縁部は、可動ビーム１２ｃ側に設けられた押圧ガイド部１２ｃ２に対して当接・離間するように往復移動される構成になされており、可動ハウジング部１１Ｂがコネクタ前方側に移動されると、当該可動ハウジング部１１Ｂのスリット穴１１Ｂ２の奥側（コネクタ後方側）端面が、可動ビーム１２ｃの押圧ガイド部１２ｃ２の傾斜辺に当接する（図２０及び図２３参照）。この可動ハウジング部１１Ｂが、コネクタ前方側に移動して可動ビーム１２ｃの押圧ガイド部１２ｃ２に当接する位置を「作用位置」とし、可動ハウジング部１１Ｂが、コネクタ後方側に移動して可動ビーム１２ｃ側から離間し（図７及び図２２参照）、固定ハウジング部１１Ａ側に当接する位置を「非作用位置」とする。
【００３０】
そして、上述したような「作用位置」における押圧ガイド部１２ｃ２との当接状態から、可動ハウジング部１１Ｂが、コネクタ前方側に更に押し込まれていくと、押圧ガイド部１２ｃ２の傾斜辺に発生する下方向分力によって、片持ち状をなす可動ビーム１２ｃが下方に弾性変位されることとなる。これによって、可動ビーム１２ｃの端子接触凸部１２ｃ１が下降していき、信号伝送媒体（ＦＰＣ又はＦＦＣ等）Ｆに上方側から圧接することによって、当該可動ビーム１２ｃと固定ビーム１２ｂとの間に信号伝送媒体Ｆが挟持されるようになっている。
【００３１】
一方、他方の導電コンタクト１３は、上述したようにコネクタ後端側において、固定ハウジング部１１Ａの固定基枠部１１Ａ１に固定される固定基部１３ａを有しており、その固定基部１３ａの下端部分に基板接続部１３ａ１が形成されている。その基板接続部１３ａ１は、主印刷配線基板（図示省略）上に形成された導電路に半田接続される。
【００３２】
また、この導電コンタクト１３の固定基部１３ａからは、固定ビーム１３ｂと、可動ビーム１３ｃとが、上下の二股状に分割するようにしてコネクタ前方側に延出している。そのうちの固定ビーム１３ｂは、上述した固定基部１３ａから可動ハウジング部１１Ｂの底板面上に延在している。
【００３３】
さらに、導電コンタクト１３の可動ビーム１３ｃは、上述した固定基部１３ａから固定ビーム１３ｂの上方に向かって片持ち状をなして一体的に延出するように形成されている。当該可動ビーム１３ｃは、固定ビーム１３ｂから上方にやや離間した状態で、可動ハウジング部１１Ｂの上方側天井板の内壁面に沿ってコネクタ前方側に延出している。このようにして導電コンタクト１３に設けられた可動ビーム１３ｃは、固定基部１３ａとの連接部分又はその近傍を中心として、図８の紙面内において上下の方向に揺動する構成になされている。
【００３４】
さらにまた、導電コンタクト１３の可動ビーム１３ｃにおけるコネクタ前端側の延出部分（図８の左端側部分）には、信号伝送媒体（ＦＰＣ又はＦＦＣ等）Ｆに形成された信号伝送用導電路又はシールド用導電路（配線パターン）のいずれかに対応して端子接触凸部１３ｃ１が図示下向きの凸形状をなすように設けられている。すなわち、この導電コンタクト１３に設けられた端子接触凸部１３ｃ１は、上述したように信号伝送媒体Ｆが絶縁ハウジング１１の内部に挿入されて来た際に、当該信号伝送媒体Ｆの配線パターン上に乗り上げる配置関係になされており、その信号伝送媒体Ｆが所定の最終位置まで挿入されたときに、可動ビーム部１３ｃの弾性力によって両者が圧接されて電気的に接続された状態に維持されるようになっている。
【００３５】
［ワンアクションオートロック機構について］
本実施形態にかかる電気コネクタ１０は、前述したようにワンアクションオートロック機構を備えたものであるが、その前提として信号伝送媒体（ＦＰＣ又はＦＦＣ等）Ｆの端末部分には、特に図１３に示されているように、幅方向両側の端縁部分に、切り欠き状の凹部からなる係合位置決め部Ｆａ，Ｆａが形成されている。そして、この信号伝送媒体Ｆに設けられた係合位置決め部Ｆａ，Ｆａに対応して電気コネクタ１０側にロック部材１４，１４が設けられており、それらロック部材１４，１４の係止作用（ロック作用）によって信号伝送媒体Ｆの挿入状態が、所定の係止力で保持される構成になされている。
【００３６】
［ロック部材について］
両ロック部材１４，１４は、上述した可動ハウジング部１１Ｂの底面板に一体的に形成されている。これらの各ロック部材１４は、信号伝送媒体（ＦＰＣ又はＦＦＣ等）Ｆの係合位置決め部Ｆａ，Ｆａに対応したコネクタ長手方向の両端位置に形成されており、可動ハウジング１２の底面板の一部に切り欠き形成された板状部材からなるロック支持板１４ａに設けられている。これらの各ロック部材１４が設けられているロック支持板１４ａの各々は、前述した媒体挿入口１１ａの近傍位置からコネクタ後方側に向かって片持ち状に延出しており、当該板状部材１４ａの延出側の自由端部分である上下方向弾性変位部分にロック部材１４が形成されている。
【００３７】
このときの各ロック部材１４は、ロック支持板１４ａの一部を上方に向かって側面略山形状に突出させるように形成されていて、当該ロック部材１４の前端縁部分に、コネクタ後方側に向かって斜め上方に延出する傾斜ガイド面を有している。そして、その傾斜ガイド面に沿って、信号伝送媒体（ＦＰＣ又はＦＦＣ等）Ｆの挿入側先端部分が乗り上げ、その後に、当該信号伝送媒体Ｆの係合位置決め部Ｆａの内方側にロック部材１４が突出し、それによって信号伝送媒体Ｆが、ロック部材１４に係合状態（ロック状態）になされるように構成されている。
【００３８】
このように信号伝送媒体（ＦＰＣ又はＦＦＣ等）Ｆの係合位置決め部Ｆａが、可動ハウジング部１１Ｂに設けられたロック部材１４に対して係合状態（ロック状態）になされると、信号伝送媒体Ｆが可動ハウジング部１１Ｂに所定の係止力で保持され、それらの両部材Ｆ，１１２同士が、連結・保持された状態となる。従って、信号伝送媒体Ｆをコネクタ前方側に抜去する方向に操作力が信号伝送媒体Ｆに付与されると、それらの信号伝送媒体Ｆと可動ハウジング部１１Ｂとが一体となってコネクタ前方側に移動される構成になされている。
【００３９】
一方、本実施形態におけるロック部材１４には、信号伝送媒体（ＦＰＣ又はＦＦＣ等）Ｆの係合位置決め部Ｆａに対する係止状態を解除するロック解除機構が付設されている。すなわち、上述したようにロック部材１４は、可動ハウジング部１１Ｂの底面板に設けられたロック支持板１４ａの揺動側自由端部分に形成されているが、そのロック支持板１４ａの揺動側自由端部分には、ロック部材１４に並設されるようにしてロック解除操作ボタン１４ｂが設けられている。このロック解除操作ボタン１４ｂは、ロック部材１４に対してコネクタ外方側に隣接した位置から上方に向かって突出する部材から形成されており、当該ロック解除操作ボタン１４ｂの上端部分は、可動ハウジング部１１Ｂの上面板（天井板）に設けられた平面略矩形状の貫通穴１１Ｂ４から上方に向けて露出するように配置されている。そして、そのロック解除操作ボタン１４ｂを、上方から治具や指先による操作によって下方に押し下げることで、ロック支持板１４ａとともにロック部材１４が下方に押し下げられ、それまで信号伝送媒体Ｆに係合状態にあったロック部材１４が、係合位置決め部Ｆａから下方に離脱して解除状態に移行されるようになっている。このようなロック解除操作を行ってから信号伝送媒体Ｆの抜去を行うこととすれば、信号伝送媒体Ｆの抜去が容易に行われる。
【００４０】
なお、このようなロック解除操作機構が設けられない場合にあっては、上述した信号伝送媒体（ＦＰＣ又はＦＦＣ等）Ｆに対するロック部材１４の係止力Ｈ１が、後述する弾性付勢手段の付勢力Ｈ２よりも大きくなるように設定され（Ｈ１＞Ｈ２）、そのロック部材１４の係止力Ｈ１より大きな抜去操作力Ｈ３が信号伝送媒体Ｆに付与された場合に（Ｈ３＞Ｈ１）、信号伝送媒体Ｆがロック部材１４から離脱して電気コネクタ１０から抜去される構成とすることが可能である。
【００４１】
［弾性付勢手段について］
一方、前述したように、固定ハウジング部１１Ａのコネクタ長手方向の両端部分には、一対のスライド支持部１１Ａ２，１１Ａ２が設けられているが、それらの各スライド支持部１１Ａ２には、固定金具１５が、固定ハウジング部１１Ａの上方側から下方に向かって圧入するようにしてそれぞれ取り付けられている。それらの各固定金具１５は、弾性付勢手段としてのフック部材１５ａをそれぞれ有しており、それらの各フック部材１５ａは、スライド支持部１１Ａ２の一部を切り欠くように形成されたバネ収容部１１Ａ３の内部に一端部が固定された状態で挿入されている。
【００４２】
その固定金具１５のフック部材１５ａは、上述した固定ハウジング部１１Ａのバネ収容部１１Ａ３から、コネクタ中心側である内方側に向かって片持ち状に張り出すように配置されており、当該フック部材１５ａの内方側への張出し部分が、可動ハウジング部１１Ｂ側に係合状態になされている。より具体的には、当該フック部材１５ａにおける内方側への張出し部分は、平面略三角形状をなす外形状になされており、コネクタ前端側からコネクタ後方側に向かって、可動ハウジング部１１Ｂ側（内方側）への張り出し量が連続的に増大する傾斜辺１５ａ１を有している。また、その傾斜辺１５ａ１のコネクタ後端部分に相当する頂部からは、コネクタ長手方向の外方側に折れ曲がるようにしてバネ作用部１５ａ２が一体的に延出している。
【００４３】
このような折り曲げ形状を有する板バネ部材１５のフック部材１５ａに対応して、可動ハウジング部１１Ｂのコネクタ長手方向両端面には、フック部材１５ａが係合する係止溝１１Ｂ３が凹設されている。この係止溝１１Ｂ３は、フック部材１５ａの折り曲げ形状に対応した平面略三角形状をなすように、コネクタ中心側に窪むように形成されている。その係止溝１１Ｂ３におけるコネクタ後端部分は、コネクタ長手方向の外方側に向かって延出するバネ受け座面になされている。そして、この係止溝１１Ｂ３のバネ受け座面に対して、上述したフック部材１５ａのバネ作用部１５ａ２がコネクタ前方側から圧接し、それによってフック部材１５ａから係止溝１１Ｂ３にコネクタ後方側への付勢力が付与され、可動ハウジング部１１Ｂの全体が、コネクタ後方側に向かって押し付けられるようになっている。
【００４４】
なお、ロック部材１４にロック解除操作機構が付設されていない場合における板バネ部材１５の付勢力Ｈ２は、上述したロック部材１４の係止力Ｈ１よりも小さくなるように設定される（Ｈ１＞Ｈ２）。従って、一旦、電気コネクタ１０内に挿入された信号伝送媒体（ＦＰＣ又はＦＦＣ等）Ｆが、コネクタ前方側に向かって抜去されようとした場合には、ロック部材１４の係止力Ｈ１で連結・保持された信号伝送媒体Ｆと可動ハウジング部１１Ｂとが、板バネ部材１５の付勢力Ｈ２に抗して、一体的な連結・保持状態を維持しながらコネクタ前方側に移動されるようになっている（図２０及び図２３参照）。
【００４５】
また、固定ハウジング部１１Ａの各スライド支持部１１Ａ２には、コネクタ前端部分にストッパ部１１Ａ４が、可動ハウジング部１１Ｂの内方側に突出する段差を形成するようにそれぞれ設けられている。これらの各ストッパ部１１Ａ４は、可動ハウジング部１１Ｂのコネクタ前端部分に対面するように配置されている。そして、上述したように信号伝送媒体（ＦＰＣ又はＦＦＣ等）Ｆがコネクタ前方側に抜去されようとして、信号伝送媒体Ｆと可動ハウジング部１１Ｂとが一体となってコネクタ前端部分まで移動してきた際に、可動ハウジング部１１Ｂのコネクタ前端部分の一部が、固定ハウジング部１１Ａのストッパ部１１Ａ４に当接する。これによって、可動ハウジング部１１Ｂが固定ハウジング部１１Ａから離脱しないように支持されることとなるが、ロック解除操作ボタン１４ｂの押し下げによるロック解除操作が行われた際、またはロック解除操作機構が付設されていない場合にあっては信号伝送媒体Ｆに付与される抜去操作力Ｈ３がロック部材１４の係止力Ｈ１を上回ったとき（Ｈ３＞Ｈ１）、信号伝送媒体Ｆがロック部材１４から離脱して、当該信号伝送媒体Ｆの抜去が行われることとなる。
【００４６】
一方、本実施形態において、信号伝送媒体（ＦＰＣ又はＦＦＣ等）Ｆを電気コネクタ１０に接続状態に保持するにあたっては、信号伝送媒体Ｆにロック部材１４を介して可動ハウジング部１１Ｂを連結状態とし、信号伝送媒体Ｆが抜去されようとした場合に、その信号伝送媒体Ｆとともに可動ハウジング部１１Ｂを「作用位置」まで移動させて当該可動ハウジング部１１Ｂを導電コンタクト１２に当接させ、その可動ハウジング部１１Ｂから導電コンタクト１２への押圧力によって導電コンタクト１２を弾性変位させ、信号伝送媒体Ｆを導電コンタクト１２の間に挟持することで、電気コネクタ１０から信号伝送媒体Ｆが抜去されないように保持させるようにする。これに対して、電気コネクタ１０から信号伝送媒体Ｆを抜去するにあたっては、可動ハウジング部１１Ｂを「非作用位置」に移動した状態に保持し、導電コンタクト１２に信号伝送媒体Ｆが挟持されないようにした上で、ロック解除操作ボタン１４ｂを治具等で押し下げてロック解除操作を行い、またはロック解除操作機構が付設されていない場合にあってはロック部材１４の係止力Ｈ１より大きな抜去力Ｈ３を信号伝送媒体Ｆに付与することにより、信号伝送媒体Ｆを電気コネクタ１０から抜去可能としている。
【００４７】
すなわち、前述した構成を有する本実施形態によれば、まず電気コネクタ１０に対して信号伝送媒体（ＦＰＣ又はＦＦＣ等）Ｆが挿入されていない初期状態においては、弾性付勢手段としての板バネ部材１５によるコネクタ後方側への付勢力Ｈ２によって、可動ハウジング部１１Ｂがコネクタ後方側に押し付けられ、その可動ハウジング部１１Ｂの後端縁側部分が固定ハウジング部１１Ａ側に当接した状態、つまり導電コンタクト１２の可動ビーム１２ｃの押圧ガイド部１２ｃ２からやや離間した「非作用位置」に可動ハウジング部１１Ｂが保持される（図７及び図２２参照）。それによって、導電コンタクト１２の可動ビーム１２ｃは、可動ハウジング部１１Ｂにより変位されることなくなって初期状態（開放状態）に維持され、当該可動ビーム１２ｃの端子接触凸部１２ｃ１が、信号伝送媒体Ｆに対して上方側から軽接触する状態となり、導電コンタクト１２に邪魔されることなく信号伝送媒体Ｆが絶縁ハウジング１１の内部に挿入可能となる。
【００４８】
一方、絶縁ハウジング１１の内部に信号伝送媒体（ＦＰＣ又はＦＦＣ等）Ｆが挿入された場合には、その信号伝送媒体Ｆは、ロック部材１４からの所定の係止力Ｈ１で可動ハウジング部１１Ｂと連結された状態となる。従って、信号伝送媒体Ｆがコネクタ前方側に抜去されようとすると、その信号伝送媒体Ｆとともに可動ハウジング部１１Ｂがコネクタ前方側に一体的に移動していき、「作用位置」まで可動ハウジング部１１Ｂが移動した時点で（図２０及び図２３参照）、当該可動ハウジング部１１Ｂの前端縁側部分が、導電コンタクト１２における可動ビーム１２ｃの押圧ガイド部１２ｃ２に当接して下方に押圧し、信号伝送媒体Ｆを挟持する位置まで導電コンタクト１２の可動ビーム１２ｃが下方に向かって弾性変位する。それによって、当該導電コンタクト１２の端子接触凸部１２ｃ１が信号伝送媒体Ｆに圧接し、可動ビーム１２ｃと固定ビーム１２ｂとの間に信号伝送媒体Ｆが挟持され、当該信号伝送媒体Ｆの抜去が阻止される。
【００４９】
特に、本実施形態におけるロック部材１４では、信号伝送媒体（ＦＰＣ又はＦＦＣ等）Ｆに対する係止力Ｈ１が、弾性付勢手段としての板バネ部材１５の付勢力Ｈ２よりも大きくなるように構成されている（Ｈ１＞Ｈ２）ことから、信号伝送媒体Ｆと可動ハウジング部１１Ｂとの連結・保持状態がロック部材１４を介して確実に行われ、信号伝送媒体Ｆが抜去されようとした際における可動ハウジング部１１Ｂの「作用位置」までの移動操作が円滑に行われる。
【００５０】
これに対して、同じく絶縁ハウジング１１の内部に信号伝送媒体（ＦＰＣ又はＦＦＣ等）Ｆが挿入された状態であっても、可動ハウジング部１１Ｂを指又は工具等で押えることにより、コネクタ後端側の「非作用位置」に可動ハウジング部１１Ｂが保持されている場合にあっては（図７及び図２２参照）、可動ハウジング部１１Ｂが、導電コンタクト１２の押圧ガイド部１２ｃ２から離間した非当接状態に維持される。それによって、可動ハウジング部１１Ｂが導電コンタクト１２を弾性変位させることがなくなり、導電コンタクト１２が初期状態（開放状態）のままに維持されて当該導電コンタクト１２の挟持力が信号伝送媒体Ｆに付与されなくなる。その結果、信号伝送媒体Ｆが、ロック部材１４の係止力Ｈ１のみで保持されることとなり、ロック解除操作ボタン１４ｂを治具等で押し下げてロック解除操作を行い、またはロック解除操作機構が付設されていない場合にあってはロック部材１４の係止力Ｈ１より大きい抜去力Ｈ３が信号伝送媒体Ｆに付与されることによって、当該信号伝送媒体Ｆの抜去が可能となる。
【００５１】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５２】
例えば、上述した実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００５３】
さらに、上述した実施形態にかかる電気コネクタには、異なる形状の導電コンタクトを交互に配置した構造が採用されているが、同一形状の導電コンタクトを並列した構造であっても本発明は同様に適用することが可能である。
【産業上の利用可能性】
【００５４】
本発明は、各種電気機器に使用する多種多様な電気コネクタに対して広く適用することが可能である。
【符号の説明】
【００５５】
１０  電気コネクタ
１１  絶縁ハウジング
１１Ａ  固定ハウジング部
１１Ａ１  固定基枠部
１１Ａ２  スライド支持部
１１Ａ３  バネ収容部
１１Ａ４  ストッパ部
１１Ｂ  可動ハウジング部
１１Ｂ１  媒体挿入口
１１Ｂ２  スリット穴
１１Ｂ３  係止溝
１１Ｂ４  貫通穴
１２  導電コンタクト
１２ａ  固定基部
１２ｂ  固定ビーム
１２ｃ  可動ビーム
１２ｃ１  端子接触凸部
１２ｃ２  押圧ガイド部
１３  導電コンタクト
１３ａ  固定基部
１３ｂ  固定ビーム
１３ｃ  可動ビーム
１３ｃ１  端子接触凸部
１４  ロック部材
１４ａ  ロック支持板
１４ｂ  ロック解除操作ボタン（ロック解除機構）
１５  固定金具
１５ａ  フック部材
１５ａ１  傾斜辺
１５ａ２  バネ作用部
Ｆ  信号伝送媒体（ＦＰＣ又はＦＦＣ等）
Ｆａ  係合位置決め部
【図１】
0005939029.tif 000002
【図２】
0005939029.tif 000003
【図３】
0005939029.tif 000004
【図４】
0005939029.tif 000005
【図５】
0005939029.tif 000006
【図６】
0005939029.tif 000007
【図７】
0005939029.tif 000008
【図８】
0005939029.tif 000009
【図９】
0005939029.tif 000010
【図１０】
0005939029.tif 000011
【図１１】
0005939029.tif 000012
【図１２】
0005939029.tif 000013
【図１３】
0005939029.tif 000014
【図１４】
0005939029.tif 000015
【図１５】
0005939029.tif 000016
【図１６】
0005939029.tif 000017
【図１７】
0005939029.tif 000018
【図１８】
0005939029.tif 000019
【図１９】
0005939029.tif 000020
【図２０】
0005939029.tif 000021
【図２１】
0005939029.tif 000022
【図２２】
0005939029.tif 000023
【図２３】
0005939029.tif 000024
【図２４】
0005939029.tif 000025
【図２５】
0005939029.tif 000026